(57)【要約】      （修正有）【課題】家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる折畳み式ゴミ収納装置の提供。【解決手段】折畳み式ゴミ収納装置は、固定枠３と、載置枠と、側面枠９とから構成され、前記側面枠９には上方空間を所定範囲で揺動できるように逆コ字状の可動枠１３が接続され、さらに、前方空間を所定範囲で揺動できるように逆コ字状の保護枠２０が接続され、拡開するとゴミ袋を収容する集積空間が形成され、閉鎖するとコンパクトに折畳むことできる構成。【選択図】図４
0003116899.tif 000002
【実用新案登録請求の範囲】
【請求項１】
垂直に所定間隔で離間立設された２本の垂直柱と該垂直柱同士を連結する水平桟とからなる矩形の固定枠と、前記垂直柱下端の前記水平桟及び地面に接する長辺と短辺とからなる矩形状をなし、前記固定枠を垂直に立設させるために前記固定枠の両側下端に固定されて地面に載置される載置枠と、前記垂直柱の略２／３の高さ位置から前方へ水平に突出した前記載置枠の長辺と同じ長さの水平枠と該水平枠の先端及び前記載置枠の長辺の先端とに連結固定された垂直枠とからなる矩形状の側面枠とから構成され、全体をネットで覆ったことを特徴とする折畳み式ゴミ収納装置。
【請求項２】
前記側面枠には上方の水平枠の前方先端側に可動継手が設けられ、該可動継手に２本の垂直棒と該垂直棒同士を連結する１本の水平棒とからなる逆コ字状の可動枠が接続され、上方空間を所定範囲で揺動できるように構成することを特徴とする請求項１記載の折畳み式ゴミ収納装置。
【請求項３】
前記側面枠には前方の垂直枠の中間部に管継手を介して内側に突出する水平短軸を設け、該水平短軸に嵌合する回転筒を先端に有する回転枠と該回転枠先端に管継手を介して地面に接する垂直棒と該垂直棒同士を連結する水平棒とからなる逆コ字状の保護枠が接続され、前方空間を所定範囲で揺動できるように構成することを特徴とする請求項１又は２記載の折畳み式ゴミ収納装置。
【考案の詳細な説明】
【技術分野】
【０００１】
本考案は、家庭用ゴミのゴミ袋集積場所に設置され、拡開するとゴミ袋を収容する集積空間が形成され、閉鎖するとコンパクトに折畳むことできる折畳み式ゴミ収納装置に関する。
【背景技術】
【０００２】
従来、簡単にごみ収集ネットの開閉ができ、更に持ち運びが容易にできるようにしたコンパクトな折畳み式のごみ収納装置は知られている。
上記公知のごみ収納装置は、立設された固定枠体と、該固定枠体に対して一対の軸を中心に回動して開閉可能に設けられた可動枠体と、固定枠体と可動枠体との間に介在し、且つ各軸に両端を軸支された複数の骨材と、可動枠体が固定枠体に対して略直角となる位置にて張架し、且つ固定枠体と可動枠体との間に各骨材を所定の角度で配置するように取り付けたネットとを備えたものである（特許文献１を参照）。
そして、固定枠体に対して可動枠体を開いた際に、ネット内の固定枠体と各骨材と可動枠体とで囲まれた空間内にごみを収納するとともに、可動枠体を閉じた際に、固定枠体と可動枠体とを合わせて、空間内に置かれたごみを収集可能としたものである。
本出願人は、折畳み式ゴミ収納装置を考案した（特許文献２を参照）が、さらにその考案を改良して簡単にごみ収集ネットの開閉ができ、更に持ち運びが容易にできるようにしたものを開発する。
【特許文献１】特開２００２−１１４３０９号公報
【特許文献２】実用新案登録第３１０９４７９号
【考案の開示】
【考案が解決しようとする課題】
【０００３】
本考案は、家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる折畳み式ゴミ収納装置に関する。
【課題を解決するための手段】
【０００４】
本考案の折畳み式ゴミ収納装置は、垂直に所定間隔で離間立設された２本の垂直柱と該垂直柱同士を連結する水平桟とからなる矩形の固定枠と、前記垂直柱下端の前記水平桟及び地面に接する長辺と短辺とからなる矩形状をなし、前記固定枠を垂直に立設させるために前記固定枠の両側下端に固定されて地面に載置される載置枠と、前記垂直柱の略２／３の高さ位置から前方へ水平に突出した前記載置枠の長辺と同じ長さの水平枠と該水平枠の先端及び前記載置枠の長辺の先端とに連結固定された垂直枠とからなる矩形状の側面枠とから構成され、全体をネットで覆ったものである。
また、前記側面枠には上方の水平枠の前方先端側に可動継手が設けられ、該可動継手に２本の垂直棒と該垂直棒同士を連結する１本の水平棒とからなる逆コ字状の可動枠が接続され、上方空間を所定範囲で揺動できるように構成するものである。
さらに、前記側面枠には前方の垂直枠の中間部に管継手を介して内側に突出する水平短軸を設け、該水平短軸に嵌合する回転筒を先端に有する回転枠と該回転枠先端に管継手を介して地面に接する垂直棒と該垂直棒同士を連結する水平棒とからなる逆コ字状の保護枠が接続され、前方空間を所定範囲で揺動できるように構成するものである。
【考案の効果】
【０００５】
本考案は、家庭用ゴミのゴミ袋集積場所に設置され、ゴミ収集車の作業員が回収しやすい構造に形成し、拡開するとゴミ袋を収容する集積空間が形成され、閉鎖するとコンパクトに折畳むことできる。
【考案を実施するための最良の形態】
【０００６】
本考案の折畳み式ゴミ収納装置の一実施例を図面に基づいて、以下に説明する。
本考案の折畳み式ゴミ収納装置は、プラスチック製のネットで全体を覆うものであるが、図１の正面図、図２の平面図、図３の右側面図においてはネットを省略して示す。
本考案の折畳み式ゴミ収納装置は、図１の正面図、図２の平面図、図３の右側面図に示すように、垂直に所定間隔で離間立設された２本の垂直柱１と該垂直柱１同士を連結する水平桟２とからなる矩形の固定枠３と、前記垂直柱１，１下端の前記水平桟２及び地面に接する長辺４と短辺５とからなる矩形状をなし、前記固定枠３を垂直に立設させるために前記固定枠３の両側下端に固定されて地面に載置される載置枠６（図２に矩形状の一部を示す。）と、前記垂直柱１の略２／３の高さ位置から前方へ水平に突出した前記載置枠６の長辺４と同じ長さの水平枠７と該水平枠７の先端及び前記載置枠６の長辺４の先端とに連結固定された垂直枠８とからなる矩形状の側面枠９とから構成される。
なお、前記固定枠３、前記載置枠６及び前記側面枠９は、プラスチック製直管パイプとプラスチック製管継手を連結して組立形成されるし、前記固定枠３及び前記側面枠９には中間部に補強のための水平桟２（２個所）及び水平枠７（１個所）をそれぞれ設ける。
さらに、前記固定枠３及び前記側面枠９には、収納したゴミ袋が飛び出さないようにプラスチック製の格子枠(図示せず)を全面に張り付けてもよい。
【０００７】
さらに、前記側面枠９には上方の水平枠７の前方先端側に可動継手１０が設けられ、該可動継手１０に２本の垂直棒１１と該垂直棒１１同士を連結する１本の水平棒１２とからなる逆コ字状の可動枠１３が接続され、図３に示すように上方空間を所定範囲で揺動できるように構成する。
また、前記側面枠９には前方の垂直枠８の中間部にプラスチック製管継手１４を介して内側に突出する水平短軸(図示せず)を設け、該水平短軸(図示せず)に嵌合する回転筒１５を先端に有する回転枠１６と該回転枠１６先端にプラスチック製管継手１７を介して地面に接する垂直棒１８と該垂直棒１８同士を連結する水平棒１９とからなる逆コ字状の保護枠２０が接続され、図３に示すように前方空間を所定範囲で揺動できるように構成する。
なお、前記垂直棒１８の中間部に補強のための水平棒(図示せず)を設けてもよい。
【０００８】
次に、本考案の折畳み式ゴミ収納装置の動作について、図面に基づいて以下に説明する。
家庭用ゴミの回収日でない時は、図３に示すように、ゴミ袋集積場所に置かれた折畳み式ゴミ収納装置は、例えば固定枠３を側溝側に側面枠９を歩道側にして可動枠１３、保護枠２０が内側に折畳まれてコンパクトな形状とし、前記可動枠１３は可動継手１０により前後揺動自在に連結されているので、前記固定枠３に持たれ掛かる状態にして支持され、前記保護枠２０は回転筒１５により３６０°回転自在に連結されているので、水平棒１９が載置枠６の長辺４に乗っかった状態(地面から浮いた状態)で支承されている。
そして、ゴミ回収日には、前記保護枠２０の垂直棒１８を掴み、図３の矢印に示すように前記保護枠２０を手前側に倒すことにより、図３の側面図に示すように前記保護枠２０が手前側(図３では左側)に位置する。
【０００９】
そして、前記可動枠１３の水平桟１２を掴み、図３の矢印に示すように前記可動枠１３を手前側に倒すことにより、プラスチック製のネット２１が可動枠１３に縫着されているので、図４の側面図に示すようにネット２１が拡開されてゴミ袋が投入可能となる。
すなわち、前記可動枠１３を手前側に引き倒すと、前記可動枠１３が前方に倒れて来るが、固定枠３の水平桟２と可動枠１３の水平桟１２と間には前記ネット２１が連結されているので、前記可動枠１３はネット２１により規制される長さ位置で停止する。
ネット２１を拡開状態にした時、前記ネット２１下端に錘となる金属製チェーン等を設けると、地面との隙間を埋めることができる。
家庭用ゴミのゴミ袋は、前記ネット２１を持ち上げ、前方から投入することができ、投入されたゴミ袋は地面に堆積される。
その際、側面側に崩れたゴミ袋は、側面枠９を設けているので前記側面枠９から外側へはみ出すことはないし、手前側には保護枠２０を設けているので、前方へはみ出すことはない。
その後、回収に来たゴミ収集車の作業員は、可動枠１３の水平桟１２を掴み、図３に示す位置まで可動枠１３を倒すと、前記可動枠１３は固定枠３に持たれ掛かった状態で支持され、可動枠１３は再び戻ることはないし、ネット２１は折畳まれた状態となる。
そのため、集積されたゴミ袋は全てが露出されるので、ゴミ収集車の作業員はネット２１に邪魔されずにゴミ袋をゴミ収集車に積載することができる。
【図面の簡単な説明】
【００１０】
【図１】本考案の折畳み式ゴミ収納装置の拡開した状態のネットを省略した正面図である。
【図２】本考案の折畳み式ゴミ収納装置の拡開した状態のネットを省略した平面図である。
【図３】本考案の折畳み式ゴミ収納装置の折り畳んだ状態のネットを省略した側面図である。
【図４】本考案の折畳み式ゴミ収納装置の拡開した状態の側面図である。
【符号の説明】
【００１１】
１  垂直柱
２  水平桟
３  固定枠
４  長辺
５  短辺
６  載置枠
７  水平枠
８  垂直枠
９  側面枠
１０  回転継手
１１  垂直棒
１２  水平棒
１３  可動枠
１４  管継手
１５  回転筒
１６  回転枠
１７  管継手
１８  垂直棒
１９  水平棒
２０  保護枠
２１  ネット
【図１】
0003116899.tif 000003
【図２】
0003116899.tif 000004
【図３】
0003116899.tif 000005
【図４】
0003116899.tif 000006